(57)【要約】      （修正有）【課題】廉価で簡便に使用できる紙製フェイスシールドを提供する。【解決手段】フェイスシールドは、紙を用いて、使用者の顔面を覆う所定の輪郭形状を有するベース面部２と、ベース面部の略中央で、使用者の少なくとも左右の眼を中心に連続して開口する視野開口部３と、視野開口部の下方で使用者の口を覆う口覆い部４と、少なくとも視野開口部に貼り付けられて視野開口部を密封する透明なフィルム５と、ベース面部と一体または別体に取り付けられて使用者の頭部または耳部に取り付けられてベース面部を使用者の顔に保持する保持部７とが設けられている。【選択図】図１
0003228998.tif 000002
【実用新案登録請求の範囲】
【請求項１】
紙を用いて、使用者の顔面を覆う所定の輪郭形状を有するベース面部と、
該ベース面部の略中央で、使用者の少なくとも左右の眼を中心に連続して開口する視野開口部と、
該視野開口部の下方で使用者の口を覆う口覆い部と、
少なくとも前記視野開口部に貼り付けられて視野開口部を密封する透明なフィルムと、
前記ベース面部と一体または別体に取り付けられて使用者の頭部または耳部に取り付けられてベース面部を使用者の顔に保持する保持部とが設けられていることを特徴とする紙製フェイスシールド。
【請求項２】
透明なフィルムが、ベース面部の内面または外面の全部または一部に積層されていることを特徴とする請求項１に記載の紙製フェイスシールド。
【請求項３】
前記ベース面部の外面の全部または一部が、デザイン表示部となっていることを特徴とする請求項１に記載の紙製フェイスシールド。
【請求項４】
。
前記ベース面部に、ベース面部の一部を使用者の顔面側に掛止め可能な折曲げ部が形成されていることを特徴とする請求項１に記載の紙製フェイスシールド。
【請求項５】
透明なフィルム部を除いたベース面部の全部または一部に撥水加工層が形成されてなることを特徴とする請求項１に記載の紙製フェイスシールド。
【考案の詳細な説明】
【技術分野】
【０００１】
本考案は、人が集まりやすいイベントなどで、簡便に用いることができる紙製フェイスシールドに関する。
【背景技術】
【０００２】
従来、フェイスシールドはプラスティック製が用いられており、高価であったり、折畳ができず嵩張るなどの問題点があった。
例えば、特開２０１２−８１２３３号の飛沫防止用のフェイスガードでは、美容室等に於いて、仰向けにシャンプーする際に、顔面に飛沫がかからない様にする飛沫防止カバーに於いて、該カバーは、顔面に乗せた時に、乗せた位置が、安定するように鼻の穴から出る息を逃がす切抜き部と口から出る息を逃がすマウスガード部を構成したことを特徴としており、フェイスガードの素材は、アクリル、ポリエステル等の合成繊維の布地で作り、洗濯時に乾きやすくするとともに、前記マウスガード部は、網目状布地にし、口からの息は逃がしながら、口が直接見えないようにしている。
【０００３】
しかしながら、ウイルスの飛散や吸引を防止するマスクに変えてイベントなどで使用するには、透明フィルム部で眼と口を塞ぐ必要がある。
一方、従来の紙のお面では、視野も狭く、且つ飛散するウイルスなどを防ぐことは不可能であった。
【先行技術文献】
【特許文献】
【０００４】
【特許文献１】特開２０１２−８１２３３号公報
【考案の概要】
【考案が解決しようとする課題】
【０００５】
この考案が解決しようとする問題点は、紙製をベースとし、左右の眼の部分を連続して切り抜いて、透明なフィルム部で覆うことで、使用者の眼を保護しながら視野を広くとることができ、使用者の口の周辺は塞ぐことで、飛沫を飛散させたり、飛沫が外から入り込まないようにした簡便な紙製フェイスシールドを提供することにある。
【課題を解決するための手段】
【０００６】
本考案は、上記課題を解決するために、請求項１の考案では、
紙を用いて、使用者の顔面を覆う所定の輪郭形状を有するベース面部と、
該ベース面部の略中央で、使用者の少なくとも左右の眼を中心に連続して開口する視野開口部と、
該視野開口部の下方で使用者の口を覆う口覆い部と、
少なくとも前記視野開口部に貼り付けられて視野開口部を密封する透明なフィルム部と、
前記ベース面部と一体または別体に取り付けられて使用者の頭部または耳部に取り付けられてベース面部を使用者の顔に保持する保持部とが設けられていることを特徴とする紙製フェイスシールド。
請求項２の考案では、透明なフィルム部が、ベース面部の内面または外面の全部または一部に積層されていることを特徴とする。
請求項３の考案では、前記ベース面部の外面の全部または一部が、デザイン表示部となっていることを特徴とする。
請求項４の考案では、前記ベース面部に、ベース面部の一部を使用者の顔面側に掛止め可能な折曲げ部が形成されていることを特徴とする。
請求項５の考案では、透明なフィルム部を除いたベース面部の全部または一部に撥水加工層が形成されてなることを特徴とする。
【考案の効果】
【０００７】
この考案が解決しようとする問題点は、紙製をベースとし、左右の眼の部分を連続して切り抜いた視野開口部を設け、透明なフィルム部で覆うことで、使用者の眼に飛沫が付着しないように保護しながら視野を広くとることができ、使用者の口の周辺は口覆い部で塞ぐことで、使用者が飛沫を飛散させたり、外部からの飛沫が外から入り込まないようにした紙製フェイスシールドを提供することにある。
【図面の簡単な説明】
【０００８】
【図１】紙製フェイスシールドの一例を示す正面図である。
【図２】輪郭形状の異なる紙製フェイスシールドの一例を示す正面図である。
【図３】(a)はベース面部の内面にフィルム部を設けた断面図、（ｂ）は視野開口部にフィルム部を設け、その上下に撥水処理層を設けた断面図、（ｃ）はベース面部の視野開口部の外面にフィルム部を設け、視野開口部を除いた内面に撥水処理層を設けた断面図である。
【図４】ベース面部の下部に折曲げ線と切欠線とを設けた折曲げ部を設けた異なる実施例の紙製フェイスシールドの正面図である。
【図５】折曲げ部を組み立てた状態の部分図であって、(ａ)は外面から見た説明図、（ｂ）は内面から見た説明図である。
【図６】異なる保持部の一例を示す紙製フェイスシールドの正面図である。
【考案を実施するための形態】
【０００９】
以下にこの考案の紙製フェイスシールドの好適実施例について図面を参照しながら説明する。
【実施例１】
【００１０】
図１および図２に、デザインの輪郭形状が異なる紙製フェイスシールド１の実施例１を示す。
この紙製フェイスシールド１は、ウイルス等の飛沫感染が起こりうる密集状況で、イベントやスポーツ観戦、アミューズメントパークなどを楽しむことができるものである。
【００１１】
この紙製フェイスシールド１は、平らな紙を用いて、使用者の顔面を覆う所定の輪郭形状を有するベース面部２が用いられる。
ベース面部２は、紙であればよく、植物繊維その他の繊維を膠着させて製造したものであり、合成紙も含まれる。
ベース面部２の輪郭形状は、下記の要素を有すれば、任意にデザインすることができ、図１、図２を例示するが、これらに限らずどのようなキャラクター、人物、動物、建物などの形状でもよい。
また、上記デザインに合わせて、色彩や文字を施したり、飾りを付加してもよく、ベース面部２の外面の全部または一部が、デザイン等表示部６となっている。
【００１２】
前記ベース面部２の略中央には、使用者の少なくとも左右の眼を中心に連続して開口する視野開口部３が穿設されている。
図示例では、視野開口部３は、左右両眼と鼻の全部または一部を含むエリアを連続して開口する略倒立梯形状からなっているが、上記開口部から対象物が見ることができる形状であれば、限定されるものではない。
【００１３】
前記視野開口部３の下方は、使用者の口部分を覆う口覆い部４が形成されている。
この口覆い部４は、使用者の口と直接接する必要はなく、鼻がベース面部２と接することで、口との間に自然と隙間ができるようになっている。
【００１４】
そして、前記視野開口部３には、視野開口部３を密封する透明なフィルム部５が貼り付けられて、視野開口部３を密封している。
この透明なフィルム部５は、視野開口部３だけを密封する、あるいは視野開口部３を中心とした一部であってもよい。
【００１５】
本実施例では、図３（ａ）に示すように、透明なフィルム部５はベース面部２の内面の全部に一体に積層されているが、ベース面部２の外面の全部に一体に積層されていてもよい。
ここで、透明なフィルム部５としては、ポリプロピレンなどの撥水性フィルムを用いることが好ましい。
これは、ベース面部２の内面に使用した場合には、使用者の汗に対して撥水することができるので、紙製のベース面部２に浸透させず耐水性・耐久性を高めることができる。
この考案では、視野開口部３を除いて、撥水性を有するハービル（登録商標）などの水性ニスなどの公知の撥水加工を施した撥水処理層５’を設けてもよい。
図３（ｂ）では、視野開口部３の内面に透明なフィルム部５を設け、その上下に撥水処理層５’を設けている。
図３（ｃ）では、ベース面部２の視野開口部３の外面にフィルム部５を設け、視野開口部３を除いた内面に撥水処理層５’を設けている。
この考案では、透明なフィルム部５はベース面部２の内面でも外面であってもよく、また視野開口部３を覆うものであればよい、
そして視野開口部３を除いた個所の全部または一部に撥水処理層５’を設けてもよい。
【００１６】
前記ベース面部２に、ベース面部２を使用者の頭部取り付けられてベース面部２を使用者の顔に保持する保持部７が設けられている。
図示例で、保持部７は、ベース面部２の上方で左右に延びる一対のベルト８からなって、一方には、多数の下向きの切込群からなる一方の掛止部８ａが形成され、他方には、多数の上向きの切込群からなる他方の掛止部８ｂが形成されており、使用者の頭部に合わせて長さ調節して掛止めることができるようになっている。
【実施例２】
【００１７】
この考案では、保持部７は、ベース面部２を使用者の体（頭部、耳部や首部など）に取り付けられて保持できればよい。
図６に示す紙製フェイスシールド１は、ベルト部８を設けずに、左右にリング状のゴム紐８’を設けておき、ゴム紐８’はそれぞれ左右の耳に掛止める構造でもよい。
その他、左右に延びるひもやゴム紐を設けて頭の後ろで結ぶ構造（図示せず）でもよい。
【実施例３】
【００１８】
図４および図５に示す紙製フェイスシールド１は、ベース面部２に、ベース面部２の一部を使用者の顔面側に掛止め可能な折曲げ部１０が形成されている。
図示例では、折曲げ部１０は、内面側に折れ曲がり、使用者の顎部分に掛止められるようになっている。
【００１９】
図示例では、口覆い部４の中央を左右に延びて外面から見た山折り線Ｌ１と、該山折り線Ｌ１の端部から左右外方に延びる一対の切欠線Ｌ２，Ｌ３と、該切欠線Ｌ２，Ｌ３と山折り線Ｌ１の交点から上下に延びる左右一対の山折りとなるガイド線Ｌ４、Ｌ５とからなっている。
そして、切欠線Ｌ２，Ｌ３の外端には、外方へ突出する掛止片１１、１２が突設しており、切欠線Ｌ２，Ｌ３の上方で外縁部寄りには、前記掛止片１１、１２を挿入して係止する掛止溝１３、１４がそれぞれ形成されている。
【００２０】
そこで、山折り線Ｌ１を折曲げ、前記ガイド線Ｌ４、Ｌ５に沿って撓ませながら掛止片１１、１２を掛止溝１３、１４に差し込んで、使用者の顎側に突出する折曲げ部１０が形成される。
ここで、図５（ａ）は外面、図５（ｂ）は内面から見た図である。
この折曲げ部１０の形状は一例であって、ベース面部２に任意の折曲げ部１０を形成してもよい。
以上、この考案は、要部を変更しない範囲で種々設計変更することができる。
【符号の説明】
【００２１】
１    紙製フェイスシールド
２    ベース面部
３    視野開口部
４    口覆い部
５    透明なフィルム部
５’  撥水処理層
６    デザイン等表示部
７    ベース面保持部
８、８’ベルト部
１０    折曲げ部
【図１】
0003228998.tif 000003
【図２】
0003228998.tif 000004
【図３】
0003228998.tif 000005
【図４】
0003228998.tif 000006
【図５】
0003228998.tif 000007
【図６】
0003228998.tif 000008
【手続補正書】
【提出日】令和2年8月24日(2020.8.24)
【手続補正１】
【補正対象書類名】実用新案登録請求の範囲
【補正対象項目名】請求項４
【補正方法】変更
【補正の内容】
【請求項４】
前記ベース面部に、ベース面部の一部を使用者の顔面側に掛止め可能な折曲げ部が形成されていることを特徴とする請求項１に記載の紙製フェイスシールド。